(57)【要約】【課題】  本発明では、出力指示をしたユーザの撮像画像を取得して、ログと共にその画像を記録する画像形成装置を提供する。【解決手段】  カメラで印刷指示をした人を撮影して顔画像データを取得し、その印刷指示に関する情報を取得し、その印刷指示に基づいて印刷し、その印刷結果や印刷指示等からなるログをその顔画像データと関連付けて保存する画像形成システムにより、上記課題の解決を図る。【選択図】      図２
2007243503.tif 000002
【特許請求の範囲】
【請求項１】
所定の媒体に所定の画像の出力を行う画像形成装置において、
前記出力の指示を発する人を撮像する撮像手段と、
前記出力の指示を発する人からの指示情報を取得する指示情報取得手段と、
前記指示情報に基づいて、前記媒体に出力する対象データを取得する対象データ取得手段と、
前記指示情報取得手段により取得された前記指示情報に基づいて、前記媒体に出力を行う出力手段と、
前記指示情報及び前記出力手段により実行された結果に関する情報とのうち少なくともいずれかを含む履歴情報と、前記撮像手段により撮像された画像データと、を関連付けて格納させる格納制御手段と、
を備えることを特徴とする画像形成システム。
【請求項２】
前記対象データ取得手段は、ネットワークを介して接続されたコンピュータであり、
前記撮像手段は、該コンピュータに付与されている電荷結合素子であり、
前記出力手段は、印刷装置である
ことを特徴とする請求項１に記載の画像形成システム。
【請求項３】
前記対象データ取得手段は、スキャナ装置であり、
前記撮像手段は、電荷結合素子であり、
前記出力装置は、印刷装置またはファックス装置である
ことを特徴とする請求項１に記載の画像形成システム。
【請求項４】
前記画像形成システムは、さらに、
前記出力手段により出力された媒体を所定の順序で排出し、かつ、排出された該媒体が回収されるのを検知する排出検知手段を備え、
前記撮像装置は、前記排出検知手段による検知結果に基づいて撮像する
ことを特徴とする請求項１に記載の画像形成システム。
【請求項５】
前記出力手段は、前記格納制御手段に格納された前記読み出された前記履歴情報及び前記画像データを出力する
ことを特徴とする請求項１に記載の画像形成システム。
【発明の詳細な説明】
【技術分野】
【０００１】
本発明は、プリンタ、ＭＦＰ（マルチファンクションプリンタ）等のセキュリティに関する。
【背景技術】
【０００２】
近年、ＰＣ（パーソナルコンピュータ）等のネットワーク化が普及するのに伴い、ネットワークに接続されるプリンタやＭＦＰ（マルチファンクションプリンタ）の数も増加している。そのため、プリンタ等は複数のＰＣで共用されることになる。
【０００３】
また、情報化社会となった今日、取り扱う情報量も増加し、それに伴って、コピー機、ＦＡＸ機等の機器もますます普及している。一方、個人情報の保護など、社会的にもセキュリティへの意識が向上しつつあり、情報の取り扱いにはより慎重さが求められている。
【０００４】
そこで、プリンタ、ＭＦＰ、コピー機、ＦＡＸ機等に指紋認証／ＩＣカード認証等を行い操作の許可を行う機能を搭載したり、指紋認証／ＩＣカード認証等を行い操作者別のデータを保存して以降操作者に合致したデータを印刷できる機能を搭載したりしている。また、特許文献１〜特許文献３も開示されている。
【特許文献１】特開２００４−２５２５０１号公報
【特許文献２】特開２００２−３６６３２７号公報
【特許文献３】特開２００３−１３４２９０号公報
【発明の開示】
【発明が解決しようとする課題】
【０００５】
しかしながら、プリンタやＭＦＰ等で操作を許可する場合、不正の操作（指紋のコピーや、ＩＣカードの盗難）をされると、その不正結果を確認することができなかった。つまり、認証が正常に終了すれば、その後の不正操作を確認することができなかった。
【０００６】
上記課題に鑑み、本発明では、出力指示をしたユーザの撮像画像を取得して、ログと共にその画像を記録する画像形成装置を提供する。
【課題を解決するための手段】
【０００７】
本発明にかかる、所定の媒体に所定の画像の出力を行う画像形成装置において、前記出力の指示を発する人を撮像する撮像手段と、前記出力の指示を発する人からの指示情報を取得する指示情報取得手段と、前記指示情報に基づいて、前記媒体に出力する対象データを取得する対象データ取得手段と、前記指示情報取得手段により取得された前記指示情報に基づいて、前記媒体に出力を行う出力手段と、前記指示情報及び前記出力手段により実行された結果に関する情報とのうち少なくともいずれかを含む履歴情報と、前記撮像手段により撮像された画像データと、を関連付けて格納させる格納制御手段と、を備えることを特徴とする。
【０００８】
このように構成することにより、ユーザが出力指示をした際に、そのユーザの画像が撮像され、その画像がログに関連付けられて格納される。
前記画像形成システムにおいて、前記対象データ取得手段は、ネットワークを介して接続されたコンピュータであり、前記撮像手段は、該コンピュータに付与されている電荷結合素子であり、前記出力手段は、印刷装置であることを特徴とする。
【０００９】
このように構成することにより、プリンタへ出力指示を行った人の画像をログと共に記録することができる。
前記画像形成システムにおいて、前記対象データ取得手段は、スキャナ装置であり、前記撮像手段は、電荷結合素子であり、前記出力装置は、印刷装置またはファックス装置であることを特徴とする。
【００１０】
このように構成することにより、コピー又はファックス機能を使用した人の画像をログと共に記録することができる。
前記画像形成システムは、さらに、前記出力手段により出力された媒体を所定の順序で排出し、かつ、排出された該媒体が回収されるのを検知する排出検知手段を備え、前記撮像装置は、前記排出検知手段による検知結果に基づいて撮像することを特徴とする。
【００１１】
このように構成することにより、排紙装置に排紙された印刷物を取りに来た人の画像をログと共に記録することができる。
前記画像形成システムにおいて、前記出力手段は、前記格納制御手段に格納された前記読み出された前記履歴情報及び前記画像データを出力することを特徴とする。
【００１２】
このように構成することにより、後日、ログ及びそのログに関連付けられている画像を出力することができる。
【発明の効果】
【００１３】
本発明を用いることにより、出力指示または印刷物を取りに来たユーザの撮像画像を取得して、ログと共にその撮像画像を記録することができる。よって、このログを後で調査することにより、不正の監視を行うことができる。
【発明を実施するための最良の形態】
【００１４】
本発明の実施形態にかかる画像形成装置は、ＰＣからの印刷を行うプリンタ、原稿をセットし複写を行うコピー機、原稿をセットし相手ＦＡＸへ送受するＦＡＸ機、またはこれら全ての機能を併せ持つＭＦＰ等に用いることができる。
【００１５】
まず、本発明の実施形態にかかる画像形成装置では、ユーザからの出力指示を指示情報取得手段で取得することができる。このときに画像形成装置はユーザの顔画像を撮像手段により撮像する。例えば、ＰＣからのプリンタ操作の場合には、指示情報取得手段により印刷ジョブが取得される。さらに、ＰＣ上の撮像装置（撮像手段）を使用して操作者の顔画像が取得される。コピー、ＦＡＸの操作の場合には、指示情報取得手段により操作パネルからの出力指示情報が取得される。さらに、操作パネル上にセットされた撮像装置（撮像手段）により顔画像が取得される。
【００１６】
次に、本発明の実施形態にかかる画像形成装置では、格納制御手段によりその撮像した顔画像がログ情報と共に記録される。例えば、プリンタの場合には、印刷に関するログ情報と顔画像が関係付けられて保存される。コピーやＦＡＸの場合には、印刷又はＦＡＸ送信に関するログ情報と顔画像が関係付けられて保存される。
【００１７】
これにより、管理者が、後日、ログの情報を出力手段により出力させて、その内容を確認することができる。よって、プリンタ印刷者、コピー実施者、ＦＡＸ送信者、及び各用紙回収者を確認することができる。それでは、以下に本発明の実施形態の詳細を説明する。
【００１８】
図１は、本実施形態におけるＭＦＰ１の外観構成を示す。同図において、ＭＦＰ１の前面上部には操作パネル（オペレーションパネル）２が位置する。この操作パネル１２を操作することにより、印刷枚数の設定や濃度設定、サイズ設定等の各種設定を行うことができる。
【００１９】
ＭＦＰ１の前面下部には複数段の給紙カセット６が設けられ、対応する取手を持って給紙カセット６を引き出すことができる。また、ＭＦＰ１の中段部には排紙トレイ７が設けられ、給紙カセット６から印刷用紙が給紙される。そして、画像形成が行われた印刷用紙は排紙トレイ７に出力される。
【００２０】
ＭＦＰ１の上部にはスキャナ部１３が設けられている。このスキャナ部１３の原稿台カバーを開けて原稿台に原稿を載置して、キー部５の所定のボタンを押下すると、その原稿がスキャンされて画像（原稿データ）が読み取られる。なお、ＭＦＰ１は、後述の通り、ＦＡＸの送受信も行うことができる。
【００２１】
操作パネル２は、ＭＦＰ１の状態を表示したり、当該ＭＦＰ１に障害等が発生したりした場合の操作等に用いられるが、印刷条件の設定も行うことができる。操作パネル２は、表示部３、ＬＥＤ部４、キー部５から構成される。表示部３は、例えば、ＬＣＤ（液晶ディスプレイ）であって、ＭＦＰ１の設定状態を表示することができる。また、表示部３にはスキャン情報の表示が行われる。
【００２２】
ＬＥＤ部４は、例えば、ＭＦＰ１の動作状態を点灯のＯＮ／ＯＦＦ、点滅等で通知することができる。キー部５は、ＭＦＰ１の設定をするために操作される複数のキー群である。キー部５は、タッチパネル式のＬＣＤ（液晶ディスプレイ）であってもよい。
【００２３】
操作パネル２で印刷条件を設定する場合は、メニューボタン（キー部５に含まれるボタンであってもよいし、ＬＣＤに表示させたタッチパネル式のボタンであってもよい。）を押すことにより、表示部３に設定メニュー等を表示させて、キー部５により設定を行う。
【００２４】
図２は、本実施形態におけるＭＦＰ１のハードウェア構成の概要を示す。ＭＦＰ１は、ネットワーク３２を介してＰＣ（パーソナルコンピュータ）３０と接続されている。ＭＦＰ１は、操作パネル２、操作パネル制御部１１、ＨＤＤ（ハードディスクドライブ）１２、スキャナ１３、スキャナ制御部１４、メイン制御部３３、フラッシュメモリ３６、ＲＡＭ（ランダムアクセスメモリ）３７、画像メモリ１６、ＦＡＸモデム１７、ＦＡＸ制御部１８、印刷制御部１９、印刷装置２０、排紙装置２１、送受信制御部２２、撮像装置２３から構成される。メイン制御部３３は、描画部１５、制御部３４、ログ作成部３８から構成される。
【００２５】
操作パネル２は、上述の通り、液晶表示部（ＬＣＤ）、ＭＦＰ１の設定を行うためのキー、及びＬＥＤ（Ｌｉｇｈｔ  Ｅｍｉｔｔｉｎｇ  Ｄｉｏｄｅ）等を備えた操作パネルである。撮像装置２３は、例えば、ＣＣＤ（Ｃｈａｒｇｅ  Ｃｏｕｐｌｅｄ  Ｄｅｖｉｃｅ）あるいはＣＭＯＳイメージセンサーを利用したディジタルカメラ（ＤＳＣと表記）であり、操作パネル２の一部に設けられている。
【００２６】
操作パネル制御部１１は、例えば、操作パネル２の表示部３の表示動作を制御したり、キー操作に基づく操作信号をＭＦＰ１のメイン制御部３３に出力したりする。ＨＤＤ１２は、ログデータ、画像データ等を保存する大容量の不揮発性メモリである。
【００２７】
スキャナ１３は、読み取り対象の原稿を読み取るためのスキャナ機器である。スキャナ制御部１４は、スキャナ１３を制御する。メイン制御部３３は、ＭＦＰ１内全体の動作を統括する。
【００２８】
描画部１５は、スキャナ１３で読み取ったデータまたはＦＡＸデータを画像データとする画像構築処理を行う。画像メモリ１６は、描画制御部１５で生成された画像を格納する画像メモリである。
【００２９】
ＦＡＸモデム１７は、電話回線と接続するＦＡＸ用のモデムである。ＦＡＸ制御部１８は、ＦＡＸモデム１７の動作を制御する。印刷制御部１９は、印刷装置２０の動作を制御する。
【００３０】
印刷装置２０は、画像メモリ１６に格納された画像データを印刷する。排紙装置２１は、印刷された用紙を排出する装置である。排紙装置２１は、メールＢＯＸ機能が設けられている。
【００３１】
送受信制御部２２は、ＬＡＮ等のネットワーク３２に接続されたＰＣ３０との情報を送受信する。ＰＣ３０は、例えば、プリンタで出力するための印刷データを作成して送ったり、所定の機器の設定を行ったりする。撮像装置２３は、例えば、ＣＣＤ（Ｃｈａｒｇｅ  Ｃｏｕｐｌｅｄ  Ｄｅｖｉｃｅ）あるいはＣＭＯＳイメージセンサーを利用したディジタルカメラ（ＤＳＣと表記）であり、ＰＣ３０に内蔵又は外付けで設置されている。
【００３２】
フラッシュメモリ３６には、例えば、後述するフローを実行するプログラム等が格納されている。なお、フラッシュメモリ３６は、ＲＯＭ（リードオンリーメモリ）でもよい。
制御部３４は、不図示のバスを介して、ＭＦＰ１内を構成するハードウェアと接続されている。制御部３４は、フラッシュメモリ３６に格納されている本実施形態にかかるプログラムを読み出して、実行する。
【００３３】
ログ作成部３８は、プリンタ、コピー、ＦＡＸに関するログの書き込みが行われる。ログ作成部３８は、このログを撮像装置２３，３１で撮像された画像データと関連付けて、ＨＤＤ１２に格納する。
【００３４】
なお、本実施形態では、ネットワーク形態としてＬＡＮを用いるが、これに限定されず、例えば、イントラネット、インターネット、エクストラネット等のネットワークを用いてもよい。
【００３５】
ＭＦＰ１は、上記の通り、原稿の読み取りを行うスキャナ機能と、ＦＡＸの送受信を行うＦＡＸ機能と、スキャナで読み取ったデータを印刷するコピー機能、ＰＣからのデータを印刷するプリンタ機能、印刷物を排出する排紙機能を有する機器である。そして、ＭＦＰ１は、これらの機能が稼動する場合にその動作の記録するログ情報をＨＤＤ１２に格納することができる。また、これらの機能が稼動する場合、所定のタイミングで撮像装置２３，３１によりユーザの顔が撮像され、その撮像画像もそのログに関連付けられて記録されている。
【００３６】
図３は、本実施形態におけるログ格納テーブル４０のデータ構造の一例を示す。ログ格納テーブル４０は、「レコードＮｏ．」４１、「動作時刻」４２、「種別」４３、「設定／操作情報」４４、「ＪＯＢ名／サムネイル画像アドレス」４５、「顔画像アドレス」４６のデータ項目から構成される。
【００３７】
「レコードＮｏ．」４１には、レコードを一意に管理するためのレコードナンバーが格納される。「動作時刻」４２には、ＭＦＰ１が動作した日時が格納される。
「種別」４３には、ＭＦＰ１がどの機能が有効な場合に動作したかを判別するための動作種別が格納される。例えば、ＭＦＰ１がプリンタとして機能した場合には「種別＝１」が格納される。また、ＭＦＰ１が、コピー機として機能した場合には「種別＝２」が格納される。また、ＭＦＰ１が、ＦＡＸ機（ＦＡＸ送信）として機能した場合には「種別＝３」が格納される。また、ＭＦＰ１が、排紙装置として機能した場合には「種別＝４」が格納される。
【００３８】
なお、「種別」４３に格納される値は、コピー及びＦＡＸの場合は、操作パネル２でコピー／ＦＡＸ送信モードが選択されたときに、制御部３４により生成される。また、プリンタの場合は、プリントデータをＬＡＮ等で受信して、制御部３４がプリンタとして機能させる判断したときに制御部３４により、「種別」４３に格納される値が生成される。排紙装置として機能した場合は、後述するセンサ等で用紙の取り出しを検知した場合に、印刷制御部１９により「種別」４３に格納される値が生成される。
【００３９】
「設定／操作情報」４４には、「種別」４３に応じたＭＦＰ１の設定情報や操作情報等が格納される。例えば、「種別＝１」の場合には、プリンタ用の情報（ユーザ名、排紙口、・・・等）が格納される。例えば、「種別＝２」の場合には、コピー用の情報（用紙サイズ、排紙口、・・・等）が格納される。例えば、「種別＝３」の場合には、ＦＡＸ用の送信情報（送り先等）が格納される。例えば、「種別＝４」の場合には、排紙口情報が格納される。
【００４０】
「ＪＯＢ名／サムネイル画像アドレス」４５には、ＪＯＢ名やサムネイル画像データの格納先のアドレスが格納される。「顔画像アドレス」４６には、撮像装置２３，３１等で撮像したユーザの顔画像データの格納先のアドレスが格納される。
【００４１】
ログ格納テーブル４０と顔画像データは、ＨＤＤ１２内の別の領域に格納されている。そして、ログ格納テーブル４０の「顔画像アドレス」４６が格納されることにより関連付けられているので、各ログレコードに対応する画像データを参照することができる。なお、各レコードはログ作成部３８または印刷制御部１９で作成されて、ログ格納テーブル４０に書き込まれる。
【００４２】
次に、ＭＦＰ１の“プリンタ機能を使用する場合”、“コピー機能を使用する場合”、“ＦＡＸ機能を使用する場合”、“ＦＡＸ受信機能、プリンタ機能、又はコピー機能により印刷された印刷用紙を取り出す場合”のログの取得について説明する。なお、これらの場合で取得されるログは、共通表示及び印刷を行うため、図３で説明したように、共通のログの書き込みフォーマットを採用している。
【００４３】
図４は、本実施形態におけるログ情報の書き込みフローの一例を示す。このフローは、図３のログを生成するフローである。ログ情報の書込みは、ＭＦＰ１がプリンタ、コピー、ＦＡＸとして機能している場合には、ログ作成部３８でログを書き込む。用紙取得時は印刷制御部１９でログを書き込む。よって、図４のフローは、ログ作成部３８又は印刷制御部１９で実行される共通のフローとして説明する。
【００４４】
まず、外部から出力指示があれば、そのときの動作時刻を「動作時刻」４２に書き込む（ステップ１。以下、ステップを「Ｓ」と称する。）。例えば、プリンタの出力情報を受信すれば、ログ作成部３８がそのときの日時をログ格納テーブル４０に書き込む。
【００４５】
次に、動作種別を判別する（Ｓ２，Ｓ３）。動作種別が「１」の場合、Ｓ１１の処理を行う。動作種別が「２」の場合、Ｓ２１の処理を行う。動作種別が「３」の場合、Ｓ３１の処理を行う。動作種別が「４」の場合、Ｓ４１の処理を行う。上述したように、動作種別の値は、コピー及びＦＡＸの場合は、操作パネルでコピー／ＦＡＸ送信モードが選択されたときに、制御部３４により生成される。また、プリンタの場合は、プリントデータをＬＡＮ等で受信して、制御部３４がプリンタとして機能させる判断したときに制御部３４により生成される。排紙装置として機能した場合は、後述するセンサ等で用紙の取り出しを検知した場合に、印刷制御部１９により生成される。
【００４６】
よって、ＭＦＰ１がプリンタ、コピー、ＦＡＸとして機能している場合には、制御部３４でそれぞれ「動作種別＝１」、「動作種別＝２」、「動作種別＝３」となっている。また、ＭＦＰ１が排紙装置として機能した場合には、印刷制御部１９で「動作種別＝４」となっている。
【００４７】
「動作種別＝１」の場合、種別＝「１」を「種別」４３に書き込み（Ｓ１１）、プリンタ情報を「設定／操作情報」４４に書き込み（Ｓ１２）、ジョブ名を「ＪＯＢ名／サムネイル画像アドレス」４５に書き込み（Ｓ１３）、顔画像アドレスを「顔画像アドレス」４６に書き込む（Ｓ５０）。
【００４８】
「動作種別＝２」の場合、種別＝「２」を「種別」４３に書き込み（Ｓ２１）、コピー情報を「設定／操作情報」４４に書き込み（Ｓ２２）、サムネイルアドレスを「ＪＯＢ名／サムネイル画像アドレス」４５に書き込み（Ｓ２３）、顔画像アドレスを「顔画像アドレス」４６に書き込む（Ｓ５０）。
【００４９】
「動作種別＝３」の場合、種別＝「３」を「種別」４３に書き込み（Ｓ３１）、ＦＡＸ送信情報を「設定／操作情報」４４に書き込み（Ｓ３２）、サムネイルアドレスを「ＪＯＢ名／サムネイル画像アドレス」４５に書き込み（Ｓ３３）、顔画像アドレスを「顔画像アドレス」４６に書き込む（Ｓ５０）。
【００５０】
「動作種別＝４」の場合、種別＝「４」を「種別」４３に書き込み（Ｓ４１）、排紙口情報を「設定／操作情報」４４に書き込み（Ｓ４２）、「ＪＯＢ名／サムネイル画像アドレス」４５には空白を書き込み（Ｓ４３）、顔画像アドレスを「顔画像アドレス」４６に書き込む（Ｓ５０）。
【００５１】
次に、ＭＦＰ１の各機能を有効にした場合のログ取得の具体例について説明する。
＜ＭＦＰ１をプリンタとして使用する場合のログ取得手順＞
図５は、本実施形態におけるＰＣ３０から送信した印刷データをＭＦＰ１のプリンタ機能により印刷する場合のログ書き込みを説明するための図である。
【００５２】
（１）  ＰＣ３０には顔写真を取ることのできる撮像装置３１が接続されている。まず、ＰＣ３０の操作者は、アプリケーション５１の印刷を行う（マウスでディスプレイ上の「印刷」ボタン５２をクリックする。）。例えば、Ｗｉｎｄｏｗｓ（登録商標）ＯＳの場合、プリンタドライバ５３が呼ばれる。このとき、そのプリンタドライバ５３は、ＰＣ３０に接続されている撮像装置３１により操作者の顔写真を取り込む。
【００５３】
次に、そのプリンタドライバ５３は、その撮影した顔画像データを印刷データと対にして、ＬＡＮ３２を介してＭＦＰ１に送信する。具体的には、印刷データは、印刷時間、印刷ジョブ名、ユーザ名、用紙情報、排紙口等の情報を含んでいる。プリンタドライバは、この印刷データと顔画像データとをＭＦＰ１へ送信する。
【００５４】
（２）  ＭＦＰ１の送受信制御部２２は、ＰＣ３０からＬＰＲ（Ｌｉｎｅ  ＰＲｉｎｔｅｒ  ｄａｅｍｏｎ  ｐｒｏｔｏｃｏｌ）等で送信された印刷データと顔写真データとを受信し、メイン制御部３３にその印刷データと顔写真データとを渡す。メイン制御部３３において、描画制御部１５は、受信データのうち印刷データを画像メモリ１６に展開し、展開した画像を印刷制御部１９に渡す。
【００５５】
（３）  印刷制御部１９は、ビデオインターフェースを介し、印刷装置２０で印刷を行う。印刷された印刷物は、排紙装置２１に排紙される。
（４）  上記（２）の処理時、制御部３４は、所定のメモリのテンポラリ領域に「動作種別＝１」を書き込む。さらに、制御部３４は、本実施形態にかかるプログラムをフラッシュメモリ３６から読み出してログ作成部３８に図４のフローを実行させる。それにより、ログ作成部３８は、その動作種別、受信した印刷情報、及び印刷結果等を含むログをレコード単位でＨＤＤ１２のログ格納テーブル４０に登録する。ログ情報として、例えば、動作種別、印刷した結果の印刷時間、印刷ジョブ名、受信した印刷データに付属している印刷名称等の情報や、用紙サイズ等の印刷条件、使用ユーザ名、印刷／キャンセルの可否などの状態がジョブ毎（もしくは１ページ毎）にＨＤＤ１２に書き込まれると共に、顔写真データもログに関連付けられて登録される（図３、図４参照）。
【００５６】
なお、ＭＦＰ１が顔写真データを分析する機能を有している場合は、次のようにしてもよい。例えば、予め顔写真データを登録しておき、撮影された顔写真がその登録した顔写真に合致した場合には、その撮影された顔写真をそのままログに残さず、予め登録されている顔画像データのアドレスに置き換えてログに残すようにしてもよい。これにより、ログデータ量の低減を図ることができる。
【００５７】
（５）  ＨＤＤ１２に登録されたログ情報は、管理者等が確認する必要がある。そのため、送受信制御部２２の制御により、ＦＴＰ（Ｆｉｌｅ  Ｔｒａｎｓｆｅｒ  Ｐｒｏｔｏｃｏｌ）等のプロトコルでＰＣ３０からＨＤＤ１２のログ情報を読み込めるようにしてもよい。さらに、ＰＣ３０からそのログ情報を読み込んだ後、ＨＤＤ１２のログ情報を削除するようにしてもよい。
【００５８】
また、操作パネル２により、ログ情報の印刷指定があった場合は、メイン制御部３３はＨＤＤ１２からログ格納テーブル４０及び顔写真情報を読み出し、そのログ情報及び顔写真情報を画像メモリ１６に展開し、展開した画像を印刷制御部１９に渡し、ビデオインターフェースを介し、印刷装置２０で印刷を行い、排紙装置２１に印刷物を排紙するようにしてもよい。
【００５９】
＜ＭＦＰ１をコピー機として使用する場合のログ取得手順＞
図６は、本実施形態におけるＭＦＰ１のコピー機能を使用する場合のログ書き込みを説明するための図である。
【００６０】
（１）  操作パネル２には、操作者の顔写真を撮像できる撮像装置２３が接続されている。操作者は、スキャナ１３のカバーを開け、コピーしたい原稿をスキャナ１３の原稿台にセットする。
【００６１】
セット完了後、コピー枚数等の印刷条件を操作パネル２でセットし、コピーボタンを押す。そうすると、その原稿がスキャンされてコピーデータが生成する。このとき、撮像装置２３によりその操作者の顔写真が撮像される。
【００６２】
コピーデータは、ジョブ名等の識別やユーザ名の識別がない。そこで、コピーした履歴として、原稿をスキャンしたデータをサムネイルデータに変換する（ログデータの小容量化）。そして、スキャナ制御部１４は、そのコピーデータと、そのサムネイルデータと、その撮影された顔画像データと、操作パネル２で設定したコピー条件データ（コピー枚数、拡大／縮小率、用紙サイズ、排紙口等）とをメイン制御部３３に渡す。
【００６３】
（２）  メイン制御部３３において、描画制御部１５は、コピーデータを画像メモリ１６に展開し、展開した画像及びコピー条件データを印刷制御部１９に渡す。
（３）  印刷制御部１９は、ビデオインターフェースを介し、コピーデータ、コピー条件データに基づいて、印刷装置２０で印刷を行う。印刷された印刷物は、排紙装置２１に排紙される。
【００６４】
（４）  上記（２）の処理時、制御部３４は、所定のメモリのテンポラリ領域に「動作種別＝２」を書き込む。さらに、制御部３４は、本実施形態にかかるプログラムをフラッシュメモリ３６から読み出してログ作成部３８に図４のフローを実行させる。それにより、ログ作成部３８は、その動作種別、コピー条件データ、及ぶ印刷結果等を含むログをレコード単位でＨＤＤ１２のログ格納テーブル４０に登録する。ログとして、例えば、動作種別、印刷した結果の印刷時間、スキャンした原稿データのサムネイル、操作パネル２でセットした用紙サイズ等の印刷条件、印刷／キャンセルの操作などの状態が、セットされた原稿単位でＨＤＤ１２に書き込まれると共に、顔写真データもログに関連付けられて登録される（図３、図４参照）。
【００６５】
なお、ＭＦＰ１が顔写真データを分析する機能を有している場合は、予め顔写真を登録しておき、その顔写真に合致するユーザであれば、顔写真をそのままログに残さず、予め登録されているデータのアドレスに置き換えて、ログデータ量の低減を図ってもよい。
【００６６】
（５）  ＨＤＤ１２に登録されたログ情報は、管理者等が確認する必要がある。そのため、送受信制御部２２の制御により、ＦＴＰ等のプロトコルでＰＣ３０からＨＤＤ１２のログ情報を読み込めるようにしてもよい。さらに、ＰＣ３０からそのログ情報を読み込んだ後、ＨＤＤ１２のログ情報を削除するようにしてもよい。
【００６７】
また、操作パネル２により、ログ情報の印刷指定があった場合は、メイン制御部３３はＨＤＤ１２からログ格納テーブル４０及び顔写真情報を読み出し、そのログ情報及び顔写真情報を画像メモリ１６に展開し、展開した画像を印刷制御部１９に渡し、ビデオインターフェースを介し、印刷装置２０で印刷を行い、排紙装置２１に印刷物を排紙するようにしてもよい。
【００６８】
＜ＭＦＰ１をＦＡＸ機として使用する場合のログ取得手順＞
図７は、本実施形態におけるＭＦＰ１のコピー機能を使用する場合のログ書き込みを説明するための図である。
【００６９】
（１）  操作パネル２に操作者の顔写真を取ることのできる撮像装置２３を接続する。操作者は、ＦＡＸ機のスキャナ１３のカバーを開け、ＦＡＸ送信したい原稿をスキャナ１３の原稿台にセットする。
【００７０】
セット完了後、送り先等の送信条件を操作パネル２でセットし、送信ボタンを押す。そうすると、その原稿がスキャンされてＦＡＸデータが生成する。このとき、撮像装置２３によりその操作者の顔写真が撮像される。
【００７１】
ＦＡＸデータは、ジョブ名等の識別やユーザ名の識別がない。そこで、ＦＡＸした履歴として、原稿をスキャンしたデータをサムネイルデータに変換する（ログデータの小容量化）。そして、スキャナ制御部１４は、そのＦＡＸデータと、そのサムネイルデータと、その撮影された顔画像データと、操作パネル２で設定した送り先や送信条件とをメイン制御部３３に渡す。
【００７２】
（２）  メイン制御部３３において、描画制御部１５は渡されたＦＡＸデータを画像メモリ１６に展開し、展開した画像をＦＡＸ制御部１８に渡す。
（３）  ＦＡＸ制御部１９は、ＦＡＸモデム１７を介し、公衆回線にてＦＡＸ送信を行う。
【００７３】
（４）  上記（２）の処理時、制御部３４は、所定のメモリのテンポラリ領域に「動作種別＝３」を書き込む。さらに、制御部３４は、本実施形態にかかるプログラムをフラッシュメモリ３６から読み出してログ作成部３８に図４のフローを実行させる。それにより、ログ作成部３８は、その動作種別、操作パネル２で設定した送り先や送信条件、及び送信結果等を含むログをレコード単位でＨＤＤ１２のログ格納テーブル４０に登録する。ログとして、例えば、動作種別、送信した結果の送信時間、スキャンしたＦＡＸデータのサムネイル、操作パネル２でセットした送り先情報、送信／キャンセルの操作などの状態が、セットされた原稿単位にＨＤＤ１２に書き込まれると共に、顔写真データもログに関連付けられて登録される（図３、図４参照）。
【００７４】
なお、ＭＦＰ１が顔写真データを分析する機能を有している場合は、予め顔写真を登録しておき、その顔写真に合致するユーザであれば、顔写真をそのままログに残さず、予め登録されているデータのアドレスに置き換えて、ログデータ量の低減を図ってもよい。
【００７５】
（５）  ＨＤＤ１２に登録されたログ情報は、管理者等が確認する必要がある。そのため、送受信制御部２２の制御により、ＦＴＰ等のプロトコルでＰＣ３０からＨＤＤ１２のログ情報を読み込めるようにしてもよい。さらに、ＰＣ３０からそのログ情報を読み込んだ後、ＨＤＤ１２のログ情報を削除するようにしてもよい。
【００７６】
また、操作パネル２により、ログ情報の印刷指定があった場合は、メイン制御部３３はＨＤＤ１２からログ格納テーブル４０及び顔写真情報を読み出し、そのログ情報及び顔写真情報を画像メモリ１６に展開し、展開した画像を印刷制御部１９に渡し、ビデオインターフェースを介し、印刷装置２０で印刷を行い、排紙装置２１に印刷物を排紙するようにしてもよい。
【００７７】
＜ＭＦＰ１のＦＡＸ受信機能、プリンタ機能、又はコピー機能により印刷された印刷用紙を取り出す場合のログ取得手順＞
図８は、本実施形態におけるＭＦＰ１のＦＡＸ受信機能、プリンタ機能、又はコピー機能により印刷された印刷用紙を取り出す場合のログ書き込みを説明するための図である。
【００７８】
（１）操作パネル２に操作者の顔写真を撮像できる撮像装置２３が接続されている。ＦＡＸ受信機能、プリンタ機能、コピー機能により印刷された印刷物は、排紙装置２１に出力される。その排紙用紙を取りに来た人は、排紙装置２１から、ＦＡＸ受信用紙、プリンタ印刷用紙、コピー用紙を取り出す。なお、この排紙装置２１が複数の排紙口を持ち、メールＢＯＸ機能を持っている場合、各ＦＡＸやプリンタ、コピーの排出先が別々の排出ロヘ排出することが可能となる。
【００７９】
その排紙用紙を取りに来た人が各メールＢＯＸから用紙を取り出した時に、排紙口の用紙有無センサ（例えば、重さセンサ、圧力センサ、光センサ等）６１が用紙の取り出しを検知する。そのセンサ６１による検知に基づいて、撮像装置２３によりその排紙用紙を取りに来た人の顔写真が撮像される。その撮影した顔画像データは、印刷制御部１９に渡される。
【００８０】
なお、撮像装置２３の設置位置は、操作パネル２に限定されず、例えば、排紙装置２１の排紙口周辺に設置してもよい。
（２）  印刷制御部１９は、所定のメモリのテンポラリ領域に「動作種別＝４」を書き込む。さらに、制御部３４は、本実施形態にかかるプログラムをフラッシュメモリ３６から読み出してログ作成部３８に図４のフローを実行させる。それにより、センサ６１により検知された検知情報（渡された各メールＢＯＸの用紙取り出し情報）と、排紙用紙取り出し者の顔画像データと、排紙口情報とを書き込み、このログレコードをＨＤＤ１２のログ格納テーブル４０に登録する。
【００８１】
なお、ＭＦＰ１が顔写真データを分析する機能を有している場合は、予め顔写真を登録しておき、その顔写真に合致するユーザであれば、顔写真をそのままログに残さず、予め登録されているデータのアドレスに置き換えて、ログデータ量の低減を図ってもよい。
【００８２】
（３）  ＨＤＤ１２に登録されたログ情報は、管理者等が確認する必要がある。そのため、送受信制御部２２の制御により、ＦＴＰ等のプロトコルでＰＣ３０からＨＤＤ１２のログ情報を読み込めるようにしてもよい。さらに、ＰＣ３０からそのログ情報を読み込んだ後、ＨＤＤ１２のログ情報を削除するようにしてもよい。
【００８３】
また、操作パネル２により、ログ情報の印刷指定があった場合は、メイン制御部３３はＨＤＤ１２からログ格納テーブル４０及び顔写真情報を読み出し、そのログ情報及び顔写真情報を画像メモリ１６に展開し、展開した画像を印刷制御部１９に渡し、ビデオインターフェースを介し、印刷装置２０で印刷を行い、排紙装置２１に印刷物を排紙するようにしてもよい。
【００８４】
なお、上記では、印刷制御部１９により「動作種別＝４」の設定、ログの作成、画像データとの関連付けを行い、ＨＤＤ１２に登録したが、これに限定されず、メイン制御部３３によりこれらの処理を行ってもよい。
【００８５】
本実施形態によれば、プリンタでの印刷、コピー印刷、ＦＡＸ送信、ＦＡＸ受信の受け取り操作、または各印刷物を取りに来た人の操作を記録すると共に、その人の画像データも記録することができる。すなわち、特殊な操作を行わずに、操作者の必要操作（例えば、コピー開始ボタンや送信ボタン等）の操作の際に、その操作者の顔写真と、その操作種別及び原稿のデータ等を、操作時間とともにログに残すことができる。
【００８６】
これにより、後で不正があった場合、管理者がそのログを見ることにより、不正者の特定が可能となる。また、不正の抑止効果となる。
また、時系列にログを書き込むようにし、排紙口にある印刷物を取りにきた人の動作まで記憶しておくことができる。これにより、時系列にログを見ることにより、出力した使用者だけでなく、用紙の回収者まで特定できる。
【００８７】
なお、撮像装置の設置場所は、操作パネル、排紙口周辺、ＰＣ等に限定されず、ＭＦＰに対して出力指示を行った者が撮像できる位置（例えば、ＭＦＰの上部前面のいずれかの位置、排紙装置のいずれかの位置  等）にあればよい。また、ＵＳＢ等のインターフェースにより接続された撮像装置を天井に設置して、ＭＦＰに対して出力指示を行った者を撮像できるようにしてもよい。また、ＭＦＰに対して出力指示を行った者を効率よく撮像できるように、撮像装置に用いられるレンズは、魚眼レンズ、広角レンズ等でもよい。また、撮像装置により撮像される画像は、静止画でもよいし、動画像でもよい。
【００８８】
本発明によれば、プリンタ機能、ＦＡＸ機能、コピー機能のそれぞれ個別の機器、またはそれらの機能が組み合わされたＭＦＰ機器において、機器を使用するユーザを撮像して、ログと共にその撮像画像を保存することができる。
【００８９】
例えば、プリンタを使用するＰＣにおいては、印刷指示と同時に、ＰＣに付属する撮像装置で操作者の画像をその機器へ送信する。また、コピー、ＦＡＸを使用する場合は、操作パネルの開始操作と同時に、その機器に付属する撮像装置で操作者の画像を撮像する。また、排紙口においては、用紙の抜き差しを検知できるセンサにより、用紙が取り除かれた場合に撮像装置により、取得者の画像を撮像するようにしておく。
【００９０】
そして、画像データと共に、動作時刻、種別ごとに必要な操作情報や画像の特定ができる情報等をログとして保存する。このログを後で調査することにより、不正を監視も行うことができる。
【００９１】
なお、本発明は、以上に述べた実施の形態に限定されるものではなく、本発明の要旨を逸脱しない範囲内で種々の構成または形状を取ることができる。
【図面の簡単な説明】
【００９２】
【図１】本実施形態におけるＭＦＰ１の外観構成を示す。
【図２】本実施形態におけるＭＦＰ１のハードウェア構成の概要を示す。
【図３】本実施形態におけるログ格納テーブル４０のデータ構造の一例を示す。
【図４】本実施形態におけるログ情報の書き込みフローの一例を示す。
【図５】本実施形態におけるＰＣ３０から送信した印刷データをＭＦＰ１のプリンタ機能により印刷する場合のログ書き込みを説明するための図である。
【図６】本実施形態におけるＭＦＰ１のコピー機能を使用する場合のログ書き込みを説明するための図である。
【図７】本実施形態におけるＭＦＰ１のコピー機能を使用する場合のログ書き込みを説明するための図である。
【図８】本実施形態におけるＭＦＰ１のＦＡＸ受信機能、プリンタ機能、又はコピー機能により印刷された印刷用紙を取り出す場合のログ書き込みを説明するための図である。
【符号の説明】
【００９３】
１      ＭＦＰ
２      操作パネル
３      表示部
４      ＬＥＤ部
５      キー部
６      給紙カセット
７      排紙トレイ
１１    操作パネル制御部
１２    ＨＤＤ
１３    スキャナ
１４    スキャナ制御部
１５    描画部
１６    画像メモリ
１７    ＦＡＸモデム
１８    ＦＡＸ制御部
１９    印刷制御部
２０    印刷装置
２１    排紙装置
２２    送受信制御部
２３，３１  撮像装置
３０    ＰＣ
３２    ＬＡＮ
３３    メイン制御部
３４    制御部
３６    フラッシュメモリ
３７    ＲＡＭ
３８    ログ作成部
６１    センサ
【図２】
2007243503.tif 000003
【図３】
2007243503.tif 000004
【図４】
2007243503.tif 000005
【図５】
2007243503.tif 000006
【図６】
2007243503.tif 000007
【図７】
2007243503.tif 000008
【図８】
2007243503.tif 000009
【図１】
2007243503.tif 000010